(57)【要約】  通信システムにおいて、新しいノードへのソフトハンドオーバーの際にリンクに進入したりリンクを追加したりするとき、アップリンク同期が完了したときを判定する方法および装置を提供する。新しいリンクからの送信電力制御（ＴＰＣ）コマンドは、同期が完了したとアップリンク同期検出器が判断するまで、ＴＰＣコマンド合成には含まれない。多くの通信システムにおいて、新しいノードのアップリンクが同期されていない限り、ＴＰＣコマンドの所定のパターンが新しいダウンリンク上に送信されるため、アップリンク同期検出器は、新しいダウンリンクの中にそのＴＰＣコマンドパターンが存在するか否かを判断できる。このようにして、ＵＬ同期検出器は、アップリンク送信電力の不要なピークやディップの発生や規模を減少させる。
2007536843.tif 000002
【特許請求の範囲】
【請求項１】
通信システムにおける端末であって、
前記端末が接続している少なくとも１つの送信ノード、および前記端末が同時に接続しようとしている少なくとも１つのノードから前記端末へ向けられた、送信電力制御（ＴＰＣ）コマンドを含む制御シンボルを復元するデバイスと、
前記デバイスからＴＰＣコマンドを受信し、且つ前記端末の送信電力を増加または減少させるために使用される合成ＴＰＣコマンドを前記ＴＰＣコマンドに基づいて生成する、ＴＰＣ合成器と、
前記端末と該端末が同時に接続しようとしている前記少なくとも１つのノードとの間で同期が完了するまで、前記少なくとも１つのノードから前記端末へ向けられると予想されるＴＰＣコマンドパターンを認識する、アップリンク同期検出器と、
を備え、
前記予想されるＴＰＣコマンドパターンが認識された場合、前記合成ＴＰＣコマンドは、前記端末が接続しようとしている前記少なくとも１つのノードからのＴＰＣコマンドには基づかない
ことを特徴とする端末。
【請求項２】
前記アップリンク同期検出器は、前記端末へ向けられた所定のメッセージに応答して動作可能にされることを特徴とする請求項１に記載の端末。
【請求項３】
前記アップリンク同期検出器は、
前記予想されるＴＰＣコマンドパターンに適合されたフィルタと、
アップリンク同期が完了したか否かを前記フィルタの出力に基づいて判断し、且つ対応する信号を前記ＴＰＣ合成器に供給する制御ユニットと
を備えることを特徴とする請求項２に記載の端末。
【請求項４】
前記アップリンク同期検出器は、フィルタ及び閾値ユニットを備え、
前記フィルタは、複数のＴＰＣコマンドを積算して、該積算したＴＰＣコマンドに基づいて出力信号を生成し、
前記閾値ユニットは、前記フィルタの出力信号を閾値と比較して、アップリンク同期が完了したか否かの指標を前記出力信号に基づいて生成する
ことを特徴とする請求項２に記載の装置。
【請求項５】
前記アップリンク同期検出器は、フィルタ及び閾値ユニットを備え、
前記フィルタは、複数のＴＰＣコマンドに基づく検出信号を平滑化して、前記検出信号に基づいて出力信号を生成し、
前記閾値ユニットは、前記フィルタの出力信号を閾値と比較して、アップリンク同期が完了したか否かの指標を前記出力信号に基づいて生成する
ことを特徴とする請求項２に記載の装置。
【請求項６】
前記アップリンク同期検出器は、前記端末が接続しようとしている前記少なくとも１つのノードからのダウンリンク電力が所定の水準を超えた時に動作可能にされることを特徴とする請求項１に記載の端末。
【請求項７】
信号対干渉比（ＳＩＲ）推定器及び第２制御ユニットをさらに備え、
前記ＳＩＲ推定器は、前記端末が接続しようとしている前記少なくとも１つのノードからのダウンリンクにおけるＳＩＲの推定値を生成し、
前記第２制御ユニットは、前記ＳＩＲ推定値に基づいて、前記アップリンク同期検出器のためのＯＮまたはＯＦＦの信号を生成する
ことを特徴とする請求項６に記載の端末。
【請求項８】
前記ＳＩＲ推定値を平滑化するフィルタをさらに備えることを特徴とする請求項７に記載の端末。
【請求項９】
前記ＴＰＣコマンドパターンは、前記端末と該端末が接続しようとしている前記少なくとも１つのノードとの間のアップリンクチャネルにおける再同期が完了するまで、前記少なくとも１つのノードから前記端末へ向けられると予想されるものであることを特徴とする請求項１に記載の端末。
【請求項１０】
前記デバイスはＲＡＫＥ受信機を含むことを特徴とする請求項１に記載の端末。
【請求項１１】
前記端末は移動体電話であることを特徴とする請求項１に記載の端末。
【請求項１２】
通信端末において、前記端末がソフトハンドオーバーの際に通信リンクに進入するかまたは通信リンクを追加する時に、通信システムのアップリンクにおいて送信される電力におけるピークおよびディップを減少させる方法であって、
ｎ−１個の通信リンクからの送信電力制御（ＴＰＣ）コマンドを受信して合成するステップと、
追加される通信リンクに対するアップリンク同期が完了したか否かを判断するステップと、
前記追加される通信リンクに対するアップリンク同期が完了していない場合、前記ｎ−１個の通信リンクのうちの少なくとも一部からのＴＰＣコマンドを合成することを継続するステップと、
前記追加される通信リンクに対するアップリンク同期が完了した場合、前記追加される通信リンクに関連するＴＰＣコマンドを前記ｎ−１個の通信リンクのうちの少なくとも一部からのＴＰＣコマンドと合成するステップと、
を備えることを特徴とする方法。
【請求項１３】
前記判断するステップは、前記追加される通信リンクに関連するＴＰＣコマンドをフィルタ処理するステップを含み、
前記判断するステップは、前記端末によって受信された所定のメッセージに応答して実行される
ことを特徴とする請求項１２に記載の方法。
【請求項１４】
前記フィルタ処理するステップは、前記追加される通信リンクに関連するＴＰＣコマンドのパターンを認識するステップを含むことを特徴とする請求項１３に記載の方法。
【請求項１５】
前記判断するステップは、
前記追加される通信リンクに関連する複数のＴＰＣコマンドを積算するステップと、
前記積算されたＴＰＣコマンドに基づいて出力信号を生成するステップと、
前記出力信号を閾値と比較するステップと、
を含むことを特徴とする請求項１２に記載の方法。
【請求項１６】
前記判断するステップは、
前記追加される通信リンクに関連する複数のＴＰＣコマンドに基づいて検出信号を形成するステップと、
前記検出信号を平滑化するステップと、
前記平滑化された検出信号に基づいて出力信号を生成するステップと、
前記出力信号を閾値と比較するステップと、
を備えることを特徴とする請求項１２に記載の方法。
【請求項１７】
前記端末が接続しようとしている少なくとも１つのノードからのダウンリンクにおける信号対干渉比（ＳＩＲ）を推定するステップをさらに備え、
前記判断するステップは、前記推定されたＳＩＲに基づいて実行される
ことを特徴とする請求項１２に記載の方法。
【請求項１８】
前記推定されたＳＩＲを平滑化するステップをさらに備えることを特徴とする請求項１７に記載の方法。
【請求項１９】
前記判断するステップは、
再同期される通信リンクに対するアップリンク同期が完了したか否かを判断するステップと、
前記再同期される通信リンクに対するアップリンク同期が完了していない場合、前記ｎ−１個の通信リンクのうちの少なくとも一部からのＴＰＣコマンドを合成することを継続するステップと、
前記再同期される通信リンクに対するアップリンク同期が完了した場合、前記再同期される通信リンクに関連するＴＰＣコマンドを前記ｎ−１個の通信リンクのうちの少なくとも一部からのＴＰＣコマンドと合成するステップと、
を備えることを特徴とする請求項１２に記載の方法。
【請求項２０】
前記端末は移動体電話であることを特徴とする請求項１２に記載の方法。
【請求項２１】
端末がソフトハンドオーバーの際に通信リンクに進入するかまたは通信リンクを追加する時に、通信システムのアップリンクにおいて送信される電力におけるピークおよびディップを減少させるコンピュータプログラムを格納したコンピュータ可読記憶媒体であって、前記コンピュータプログラムは、
追加される通信リンクに対するアップリンク同期が完了したか否かを判断するステップと、
前記追加される通信リンクに対するアップリンク同期が完了していない場合、前記ｎ−１個の通信リンクのうちの少なくとも一部からの送信電力制御（ＴＰＣ）コマンドが合成されるようにするステップと、
前記追加される通信リンクに対するアップリンク同期が完了した場合、前記追加される通信リンクに関連するＴＰＣコマンドが前記ｎ−１個の通信リンクのうちの少なくとも一部からのＴＰＣコマンドと合成されるようにするステップと、
を実行することを特徴とするコンピュータ可読記憶媒体。
【請求項２２】
前記端末によって受信された所定のメッセージに応答して、前記追加される通信リンクに関連するＴＰＣコマンドをフィルタ処理することによって、アップリンク同期が完了したか否かが判断されることを特徴とする請求項２１に記載のコンピュータ可読記憶媒体。
【請求項２３】
前記追加される通信リンクに関連するＴＰＣコマンドのパターンを認識することによって、ＴＰＣコマンドがフィルタ処理されることを特徴とする請求項２２に記載のコンピュータ可読記憶媒体。
【発明の詳細な説明】
【技術分野】
【０００１】
本発明は、通信システムにおける送信機と受信機との同期の検出に関するものであり、詳細には、無線電話システムにおける端末の同期の検出に関するものである。
【背景技術】
【０００２】
デジタル通信システムには、時分割多元接続（ＴＤＭＡ）システム、例えばＧＳＭ通信標準およびＧＳＭ／ＥＤＧＥのようなその拡張版に準拠するセルラー無線電話システムと、符号分割多元接続（ＣＤＭＡ）システム、例えばＩＳ−９５、ｃｄｍａ２０００、広帯域ＣＤＭＡ（ＷＣＤＭＡ）通信標準に準拠するセルラー無線電話システムとが含まれる。デジタル通信システムには、また、ＴＤＭＡシステムとＣＤＭＡシステムとの「混合」システム、例えばユニバーサル・モバイル・テレコミュニケーション・システム（ＵＭＴＳ）標準に準拠するセルラー無線電話システムも含まれる。ＵＭＴＳ標準は、国際電気通信連合（ＩＴＵ）のＩＭＴ−２０００の枠組みの中で欧州電気通信標準化協会（ＥＴＳＩ）が開発した第３世代（３Ｇ）移動体システムの仕様を定めている。第３世代パートナーシップ・プロジェクト（３ＧＰＰ）はＵＭＴＳ標準を広めている。本願では、簡潔にするためにＷＣＤＭＡシステムに焦点を当てているが、本願で説明した原理は他のデジタル通信システムにおいても実装され得ることは理解されるであろう。
【０００３】
ＷＣＤＭＡは直接拡散によるスペクトル拡散法に基づいており、ダウンリンク（基地局から端末への）方向において、疑似雑音スクランブリングコードと直交チャネライゼーションコードとが基地局と物理チャネル（端末およびユーザ）とをそれぞれ分けている。ＣＤＭＡシステムではすべてのユーザが同じ無線リソースを共有するのであるから、各物理チャネルが必要以上の電力を使わないことが大切である。これは送信電力制御（ＴＰＣ）メカニズムによって達成される。ＴＰＣメカニズムにおいては、特に、基地局がユーザにＴＰＣコマンドを送信する。ＴＰＣコマンドは、ユーザに送信電力レベルを一定量ずつ増加または減少させ、それによって、基地局とユーザとの間の専用物理チャネル（ＤＰＣＨ）についての、目標とする信号対干渉比（ＳＩＲ）を維持している。ここではＷＣＤＭＡの用語が使われているが、他のシステムも対応する用語を有していることは理解されるであろう。スクランブリングコード、チャネライゼーションコード、および送信電力制御は、当技術では良く知られている。
【０００４】
図１は、移動体無線セルラー通信システム１０を描写している図である。移動体無線セルラー通信システム１０は、例えばＣＤＭＡまたはＷＣＤＭＡ通信システムであってもよい。無線ネットワーク制御装置（ＲＮＣ）１２および１４は、例えば無線アクセス・ベアラ設定、ダイバーシティハンドオーバー等を含む各種の無線ネットワーク機能を制御する。より一般的に言うと、各ＲＮＣは、移動局（ＭＳ）、すなわちリモート端末による適切な基地局（ＢＳ）経由の呼を管理する。それらは、ダウンリンク（すなわち、基地局から移動局へ、すなわち前方へ）チャネルおよびアップリンク（すなわち、移動局から基地局へ、すなわち後方へ）チャネルを通じて相互に交信する。ＲＮＣ１２は、ＢＳ１６、１８、２０に連結されていることが示されており、ＲＮＣ１４はＢＳ２２、２４、２６に連結されていることが示されている。各ＢＳは、１つの地理的区域にサービスを提供しており、その地理的区域は１つ以上のセルに分割できる。ＢＳ２６はＳ１からＳ５まで５個のアンテナ・セクタを有していることが示されており、それらがＢＳ２６のセルを構成しているといえる。ＢＳは、専用電話回線、光ファイバ接続、マイクロ波接続等によってそれぞれの対応するＲＮＣに連結されている。ＲＮＣ１２および１４は両方とも、移動交換局（図示していない）およびパケット無線サービスノード（図示していない）のうちの少なくとも一方のような１つ以上のコア・ネットワーク・ノードを通じて、外部ネットワーク、例えば公衆電話網（ＰＳＴＮ）やインターネット等に接続している。
【０００５】
ユーザ端末が基地局に対して移動するとき、そしてその逆の場合もありうるが、進行中の接続は、ハンドオフまたはハンドオーバーのプロセスを通じて維持される。例えば、セルラー電話システムでは、ユーザが１つのセルから別のセルに移動すると、ユーザの接続は１つの基地局から別の基地局へと渡される。初期の通信システムはハードハンドオーバーを用いていた。その場合、第１のセルの基地局（ユーザが去ろうとしているセルをカバーしている）は、第２の基地局（ユーザが入ろうとしているセルをカバーしている）が通信を始めると同時に、ユーザとの通信を止めてしまっていた。現代のシステムは通常、ソフトハンドオーバーを用いる。その場合、ユーザは２つ以上の基地局に同時に接続している。図１では、ＭＳ２８および３０が、ダイバーシティハンドオーバー状況で複数の基地局と交信していることが示されている。ＭＳ２８は、ＢＳ１６、１８、２０と交信し、ＭＳ３０はＢＳ２０、２２と交信する。ＲＮＣ１２と１４との間の制御リンクが、ＢＳ２０および２２を経由したＭＳ３０のダイバーシティ送受信を可能にする。
【０００６】
ソフトハンドオーバーの間、端末は２つ以上の基地局からＴＰＣコマンドを受信するが、異なる基地局からのＴＰＣコマンド間の競合を処理する方法はすでに開発されている。ユーザ端末が１つのセルを去るとき、そのセルの基地局が受信する信号は次第に弱くなり、従って、その基地局のＴＰＣコマンドがもっと強い電力を要求し、同時に、ユーザ端末が新たなセルに入ることがあり、新たなセルの基地局が受信する信号が次第に強くなり、従って、新たな基地局のＴＰＣコマンドがもっと弱い電力を要求する場合に、競合が予測される。３ＧＰＰ準拠システムでは、ＵＥは、信頼できるダウンリンクからのＴＰＣコマンドを論理和（ＯＲ）機能と合成する。それによって、信頼できるコマンドのいずれかが「ＤＯＷＮ」と言えば、ＵＥの送信電力は低減される。これは、３ＧＰＰ  ＴＳ  ２５．２１４  （Ｖ５．６．０）Ｒｅｌ．  ５（２００３）のセクション５．１．２．２．２．３、物理層手順（ＦＤＤ）（Ｐｈｙｓｉｃａｌ  ｌａｙｅｒ  ｐｒｏｃｅｄｕｒｅｓ）に記載されている。
【０００７】
信頼できる「ＯＲ」ＴＰＣ合成は、例えば、信頼性閾値を使う方法を用いることによって、ＵＥにおいて異なる方法で実装できるが、これについてはＮ．Ｗｉｂｅｒｇ、Ｈ．Ｒｏｎｇ、Ｆ．Ｇｕｎｎａｒｓｓｏｎ、Ｂ．Ｌｉｎｄｏｆｆ著、「ＷＣＤＭＡにおけるソフトハンドオーバー中の電力制御コマンドの合成(Combining of power control commands during soft handover in WCDMA)」、第１４回パーソナル、室内、移動体無線通信（ＰＩＭＲＣ）国際シンポジウム２００３予稿集において説明されている。Ａ．Ａｎｄｅｒｓｓｏｎ他に与えられた米国特許Ｎｏ．６，５９４，４９９「セルラー通信ネットワークにおけるダウンリンク電力制御(Ｄｏｗｎｌｉｎｋ  Ｐｏｗｅｒ  Ｃｏｎｔｒｏｌ  in  a  Ｃｅｌｌｕｌａｒ  Ｔｅｌｅｃｏｍｍｕｎｉｃａｔｉｏｎｓ  Ｎｅｔｗｏｒｋ)」においてＴＰＣの別の態様が説明されている。
【０００８】
ＷＣＤＭＡおよび他の３Ｇ通信システムにおけるソフトハンドオーバーは、例えば上記で引用した３ＧＰＰ  ＴＳ  ２５．２１４に説明されているＡｃｔｉｖｅ  Ｓｅｔ  Ｕｐｄａｔｅ  −  ＡＤＤ手順を必要とする。ＵＥがイベント１Ａ（無線リンクの追加）をネットワークに報告し、ＲＮＣが、アップリンク（ＵＬ）同期を開始するよう、新しい基地局、すなわちノードＢに情報を送る。ノードＢからの確認応答メッセージがＲＮＣに受信されたとき、「Ａｃｔｉｖｅ  Ｓｅｔ  Ｕｐｄａｔｅ  −  ＡＤＤ」メッセージがＵＥに送信され、同時に、新しいノードＢがダウンリンク（ＤＬ）上の送信を開始する。ＵＬ同期が達成されるまで、新しいＤＬ上でノードＢが送信したＴＰＣコマンドは、ＵＥがその送信電力を増加させることを要求する。ＴＳ２５．２１４のセクション５．１．２．２．１．２によれば、ＴＰＣコマンドシーケンスは、．．．１１１１１．．．である。ＵＥは「Ａｃｔｉｖｅ  Ｓｅｔ  Ｕｐｄａｔｅ  −  ＡＤＤ」メッセージを受信して復号化し、その後、端末の物理層が、ノードＢおよび「旧」基地局であるノードＡからのＴＰＣコマンドを含むＤＬ情報の合成を開始する。
【０００９】
ソフトハンドオーバーの場合の進入やリンク追加の際のＵＬ同期は、チャネルの条件によっては１００ミリ秒（ｍｓ）あるいはそれ以上かかることがある。この遅延の主な原因は、ノードＢがＵＥについての知識を何ら持たないことであり、そのため、ノードＢはそのセル全体を探索せざるを得ない。また、別の原因は、ノードＢが受信するＵＬ信号の電力が通常は低いこととＵＬ  ＤＰＣＣＨパイロットの数が少ないことであり、そのため、信頼性のあるチャネルの取得とパスの推定を行うために多数のシンボルが使われざるを得ない。
【００１０】
この時間的遅延は新しいＵＬとＤＬ上のＴＰＣが開ループである期間に加わるのだが、この遅延を減少させるため、ノードＢの物理層（第１層）はＲＮＣから第３層情報を得て、第３層の「Ａｃｔｉｖｅ  Ｓｅｔ  Ｕｐｄａｔｅ」メッセージがＵＥに送信される前にＵＬ同期を開始する。これに起因するノードＢの改善の程度は容易には算出できないが、少なくとも１つのＲＮＣログの中に、ほんの３０ないし４０ミリ秒の遅延の兆候があった。ＵＬ（ノードＢ）は、同期を確立する際、ＤＬに対するタイミング上の優位点を他にも少なくとも２つ有している。Ａｃｔｉｖｅ  Ｓｅｔ  Ｕｐｄａｔｅメッセージ自体は２０ミリ秒の長さであり、その後、ＵＥにはそれを処理する時間が必要である。ＵＥの処理時間は、ＵＥのアーキテクチャおよび端末の中のリアルタイム処理ユニット上の現在の負荷に依存する。端末が第１層上で新しいＤＬ情報の合成を開始するまでに、さらに３０ないし５０ミリ秒の遅延が端末で発生することもあり得る。ＤＬにおけるこれらの遅延の合計は約１００ミリ秒であり、これは、ＵＬ同期の開始が、ＤＬ同期（ｓｙｎｃ）の発生より少なくとも約１００ミリ秒前に発生すると予想されることを意味している。しかし、ＵＬ同期の終了は、ＵＥが「Ａｃｔｉｖｅ  Ｓｅｔ  Ｕｐｄａｔｅ」メッセージを受信して、新しい基地局からの電力制御コマンドを合成し始めた後に発生し得る。この状況では、ＵＬ電力ピーク、すなわち、ＵＬ電力が強すぎる、あるいはＵＬ電力のディップ（落ち込み）、すなわち、ＵＬ電力が弱すぎるという形の制御ループの問題が起きるリスクがある。
【００１１】
フィールドテストの結果、現行のＴＰＣ法では恐らく防止できないある現象がソフトハンドオーバー中に発生した。端末すなわちユーザ装置（ＵＥ）がソフトハンドオーバーにおいて通信リンクに進入するか通信リンクを追加するとき、新しいリンク上のダウンリンク電力の初期設定が高すぎる場合、およびＵＥがダウンリンクＴＰＣコマンドの合成を開始した時刻から３０ないし４０ミリ秒以内に（すなわち「Ａｃｔｉｖｅ  Ｓｅｔ  Ｕｐｄａｔｅ」メッセージの受信および処理の後）新しいノードＢがアップリンク同期を完了できなかった場合、アップリンク（ＵＥから基地局への）送信電力に２０ないし４０ｄＢのピークを観察し得る。
【発明の開示】
【発明が解決しようとする課題】
【００１２】
出願人らは、ソフトハンドオーバーにおける新しい接続のＵＬおよびＤＬ上のＴＰＣは、ＵＬ同期に要する時間に起因して、１００ないし２００ミリ秒の間、開ループで動作することがあり、そのような長い遅延が送信電力のピークの主な原因である可能性が高い、と認識している。これらの電力ピークは他のユーザに対する干渉となり、従って、ユーザおよびシステム全体に対する問題の原因となり得る。
【００１３】
同期の遅延が原因である可能性が高いもう１つの問題は、ＵＬ送信電力のディップである。使用されるＵＬ電力が弱すぎると、ＵＬが「消され」てしまい、これはＵＥの接続にとって問題である。
【課題を解決するための手段】
【００１４】
本発明の１つの態様において、新しいノードＢへのソフトハンドオーバーの際にリンクに進入するかまたはリンクを追加するとき、ノードＢがＵＬ同期を完了したか否かを検出する方法が提供される。新しいリンクからのＴＰＣコマンドは、ＵＬ同期が完了したとＵＬ同期検出器が判断するまで、ＴＰＣコマンドの合成には含まれない。多くの通信システムにおいては、新しいノードＢのＵＬが同期されていない限り、ＴＰＣコマンドの所定のパターンが新しいＤＬ上に送信されるため、ＵＬ同期検出器は、そのＴＰＣコマンドパターンが新しいＤＬ内に存在するか否かを判定することによって、同期が完了したかどうか判定できる。このようにして、ＵＬ同期検出器は、ＵＬ送信電力の不要なピークやディップの発生や規模を減少させる。
【００１５】
出願人らの発明の別の態様において、通信システムの端末が、その端末を対象とした制御シンボルを復元する装置を含んでいる。ここで、制御シンボルは、その端末が接続している少なくとも１つの送信ノード、および、端末が同時に接続しようとしている少なくとも１つのノードからの、その端末を対象としたＴＰＣコマンドを含んでいる。端末はまた、デバイスからのＴＰＣコマンドを受信し、コマンドに基づいて、端末の送信電力を増減させるのに用いられる、合成されたＴＰＣコマンドを生成するように適合されたＴＰＣ合成器と、端末と少なくとも１つのノードの間のアップリンクチャネル上で同期が完了するまで、端末が接続しようとしている少なくとも１つのノードから端末に向けられると予想されるＴＰＣコマンドパターンを認識するように適合されたアップリンク同期検出器とを含んでいる。予想されるＴＰＣコマンドパターンが認識された場合、合成されたＴＰＣコマンドは端末が接続しようとしているノードからのＴＰＣコマンドには基づいていない。
【００１６】
出願人らの発明の別の態様において、通信端末において、ソフトハンドオーバーの際に端末が通信リンクに進入するかまたは通信リンクを追加するときに、通信システム内のアップリンクで送信される電力のピークとディップを減少させる方法が提供される。本方法は、n−１個の通信リンクから送信電力制御（ＴＰＣ）コマンドを受信して合成するステップと、追加すべき通信リンクについてアップリンク同期が完了しているか否かを判定するステップと、追加すべき通信リンクについてアップリンク同期が完了していない場合には、n−１個の通信リンクのうち少なくとも一部からのＴＰＣコマンドの合成を継続するステップと、そして、追加すべき通信リンクについてアップリンク同期が完了している場合には、追加すべき通信リンクに関連するＴＰＣコマンドを、n−１個の通信リンクのうち少なくとも一部からのＴＰＣコマンドと合成するステップとを含んでいる。
【００１７】
出願人らの発明の別の態様において、ソフトハンドオーバーの際に端末が通信リンクに進入するかまたは通信リンクを追加するときに、通信システム内のアップリンクで送信される電力のピークとディップを減少させるコンピュータプログラムを、コンピュータ可読記憶媒体が含んでいる。本コンピュータプログラムは、追加すべき通信リンクについてアップリンク同期が完了したか否かを判定するステップと、追加すべき通信リンクについてアップリンク同期が完了していない場合には、n−１個の通信リンクのうち少なくとも一部からのＴＰＣコマンドを合成させるステップと、そして、追加すべき通信リンクについてアップリンク同期が完了している場合には、追加すべき通信リンクに関連するＴＰＣコマンドを、n−１個の通信リンクのうち少なくとも一部からのＴＰＣコマンドと合成させるステップとを実行する。
【００１８】
出願人らの発明の多様な特徴、目的、優位点は、図面と併せて記述を読むことによって理解できるであろう。
【発明を実施するための最良の形態】
【００１９】
出願人らは、ＵＥにおいてＵＬ同期が完了するまでは、ＴＰＣコマンドの予測可能なパターンが新しいノードＢからＤＬに送信されることを認識していた。３ＧＰＰ規格による通信システムでは、例えば、パターンは「．．．１１１１１．．．」となることがある。これは「ＴＸ電力がどんどん上がる(TX power ... up, up, up, up, up,...)」ことを意味する。他の通信システムも、ＴＰＣコマンドの予測可能なパターンを有すると考えられる。従って、ＵＥは新しいリンクからのＴＰＣコマンドをフィルタにかけ、その後、その結果をＵＬ同期の検出器として使うことができる。検出器が新しいＵＬが同期されていないことを信号で伝えている限り、そのリンクからのＴＰＣコマンドは、他のリンクからのＴＰＣコマンドと合成されてはならない。
【００２０】
図２は、出願人らの発明による受信機２００のブロック図である。受信機２００、例えばＷＣＤＭＡ通信システムの移動端末は、アンテナ２０２を通じて無線信号を受信し、フロントエンド受信機（Ｆｅ  ＲＸ）２０４で受信信号をダウンコンバートしてサンプリングする。出力サンプルはＦｅ  ＲＸ２０４からＲＡＫＥ合成器兼チャネル推定器２０６に送り込まれ、ＲＡＫＥ合成器兼チャネル推定器２０６はパイロットチャネルを逆拡散し、無線チャネルのインパルス応答を推定し、受信したデータと制御シンボルとに関する受信エコーを逆拡散して合成する。合成器兼チャネル推定器２０６の出力はシンボル検出器２０８に提供される。シンボル検出器２０８は情報を生成するが、その情報は、特定の通信システムにとって適切となるようにさらに処理される。
【００２１】
ＲＡＫＥ合成およびチャネル推定は、当技術分野ではよく知られている。ＲＡＫＥ受信機の各種の態様は、以下の文献に説明されている。Ｇ．Ｔｕｒｉｎ著「スペクトル拡散反マルチパス技術の概要およびそれらの都市型デジタル無線への応用（Ｉｎｔｒｏｄｕｃｔｉｏｎ  ｔｏ  Ｓｐｒｅａｄ−Ｓｐｅｃｔｒｕｍ  Ａｎｔｉｍｕｌｔｉｐａｔｈ  Ｔｅｃｈｎｉｑｕｅｓ  ａｎｄ  Ｔｈｅｉｒ  Ａｐｐｌｉｃａｔｉｏｎ  ｔｏ  Ｕｒｂａｎ  Ｄｉｇｉｔａｌ  Ｒａｄｉｏ）」、Ｐｒｏｃ．  ＩＥＥＥ、ｖｏｌ．  ６８、ｐｐ．３２８−３５３(１９８０年３月)、Ｄｅｎｔに与えられた米国特許Ｎｏ．５，３０５，３４９「量子化されたコヒーレントなＲａｋｅ受信機（Ｑｕａｎｔｉｚｅｄ  Ｃｏｈｅｒｅｎｔ  Ｒａｋｅ  Ｒｅｃｅｉｖｅｒ）」、Ｗａｎｇ他による米国特許出願公開公報Ｎｏ．２００１／００２８６７７ 「Ｒａｋｅ受信機におけるフィンガ遅延選択のための装置と方法（Ａｐｐａｒａｔｕｓ  ａｎｄ  Ｍｅｔｈｏｄｓ  ｆｏｒ  Ｆｉｎｇｅｒ  Ｄｅｌａｙ  Ｓｅｌｅｃｔｉｏｎ  ｉｎ  Ｒａｋｅ  Ｒｅｃｅｉｖｅｒｓ）」、そして、Ｇ．Ｂｏｔｔｏｍｌｅｙに与えられた米国特許Ｎｏ．６，３６３，１０４「Ｒａｋｅ受信機における干渉除去の方法と装置（Ｍｅｔｈｏｄ  ａｎｄ  Ａｐｐａｒａｔｕｓ  ｆｏｒ  Ｉｎｔｅｒｆｅｒｅｎｃｅ  Ｃａｎｃｅｌｌａｔｉｏｎ  ｉｎ  ａ  Ｒａｋｅ  Ｒｅｃｅｉｖｅｒ）」およびＷａｎｇ他に与えられたＮｏ．６，８０１，５６５「マルチステージＲａｋｅ合成の方法と装置（Ｍｕｌｔｉ−Ｓｔａｇｅ  Ｒａｋｅ  Ｃｏｍｂｉｎｉｎｇ  Ｍｅｔｈｏｄｓ  ａｎｄ  Ａｐｐａｒａｔｕｓ）。」チャネル推定については、例えばＬ．Ｗｉｌｈｅｌｍｓｓｏｎによる米国仮特許出願Ｎｏ．６０／５１９，２６１「適応型内挿によるチャネル推定（Ｃｈａｎｎｅｌ  Ｅｓｔｉｍａｔｉｏｎ  ｂｙ  Ａｄａｐｔｉｖｅ  Ｉｎｔｅｒｐｏｌａｔｉｏｎ）」に記述されている。
【００２２】
合成器／推定器２０６はまた、端末の接続先である基地局のような、各ノードからのＴＰＣコマンドを含む制御シンボルを復元し、ＴＰＣコマンドストリームＴＰＣ１、ＴＰＣ２，・・・、ＴＰＣＮを、ａｃｔｉｖｅ  ｓｅｔの各リンクから、ＴＰＣコマンドを検出するＴＰＣ合成器２１０に供給する。検出されたコマンドに基づいて、合成器２１０は、端末の送信電力を増減させるのに使用される、合成ＴＰＣコマンドを生成する。ａｃｔｉｖｅ  ｓｅｔの中にリンクが１つしかない場合、合成ＴＰＣコマンドは、その特定リンクについて検出されたまさに１つのＴＰＣコマンドストリームである。ＴＰＣコマンドを決定し合成する方法はいくつかある。例えば、Ｎｉｌｓｓｏｎ他による米国特許出願公開公報Ｎｏ．ＵＳ  ２００４／００５８７００「偏向した解釈を用いて送信電力生後コマンドを決定する方法、受信機、およびコンピュータプログラム製品（Ｍｅｔｈｏｄｓ，  Ｒｅｃｅｉｖｅｒｓ，  ａｎｄ  Ｃｏｍｐｕｔｅｒ  Ｐｒｏｇｒａｍ  Ｐｒｏｄｕｃｔ  ｆｏｒ  Ｄｅｔｅｒｍｉｎｉｎｇ  Ｔｒａｎｓｍｉｓｓｉｏｎ  Ｐｏｗｅｒ  Ｃｏｎｔｒｏｌ  Ｃｏｍｍａｎｄｓ  Ｕｓｉｎｇ  Ｂｉａｓｅｄ  Ｉｎｔｅｒｐｒｅｔａｔｉｏｎ）」に説明された方法がそうである。
【００２３】
端末２００は時々、端末は新しいダウンリンクのリッスンおよび合成を開始すべきだというＡｃｔｉｖｅ  Ｓｅｔ  Ｕｐｄａｔｅ  −  ＡＤＤ（ＡＳＵ  ＡＤＤ）メッセージを、より高い信号層（第３層すなわちＬ３）から受信することがある。言い換えれば、端末はリンクの数がＮ＝２になればソフトハンドオーバー（ＳＨＯ）し始める。または、リンクの数がＮ＞２ならＳＨＯの際にリンクを追加する。図２から分かるように、Ｌ３情報は、新しいノードＢからＤＬを受信して逆拡散し始める合成器／推定器２０６と、新しいＤＬからのＴＰＣコマンドストリームを検出する準備をするＴＰＣ合成器２１０に供給される。重要なことだが、新しいＤＬのＴＰＣコマンドは合成器２１０のＴＰＣ合成には含まれていないことに注意が必要である。
【００２４】
図２から分かるように、Ｌ３のＡＳＵ  ＡＤＤ情報は、ＵＬ同期フィルタ２１２にも送信される。これはＵＬ同期が完了するまで新しいノードＢから受信されると予期されるＴＰＣコマンドパターンに適合されたフィルタである。フィルタで検出された新しいリンクからのＴＰＣコマンドは、制御ユニット２１４に供給される。制御ユニット２１４は、フィルタ処理したコマンドに基づいて、ＵＬ同期が完了したか否かを判定する。点線で示すように、図２に示された典型的実施形態におけるフィルタ２１２と制御ユニット２１４は、ＵＬ同期検出器２１６と考えてもよい。ＵＬ同期が完了していないと判定される限り、合成器２１０によって実施されたＴＰＣ合成は、Ｎ−１個の「古い」リンクだけを含んでいる。ＵＬ同期が完了したと制御ユニット２１４が判定すると、制御ユニットは適切な信号を合成器２１０に送る。制御ユニット２１４からの信号に応じて、合成器２１０は新しいリンクからのＴＰＣコマンドをそのＴＰＣ合成に含み始める。無論、理解されるはずだが、同期されたか否かの指標としての制御ユニット２１４からの信号の存否は、単なる設計上の選択の問題にすぎない。従って、ＳＨＯでのリンク進入またはリンク追加時のＵＬ電力ピークのリスクは減少する。
【００２５】
図３は、出願人らの発明による方法のフローチャートである。初期条件下では、Ｎ−１個のリンクからのＴＰＣコマンドが受信され合成され得る（ブロック３０２）。ＡＳＵ  ＡＤＤメッセージのようなメッセージが受信され（ブロック３０４）、追加予定リンクのＵＬ同期検出器が起動されるか使用可能になる（ブロック３０６）。ブロック３０８では、ＵＬ同期が検出されたか否か、判定が行われる。否ならば、プロセスフローは元に戻り、例えば２タイムスロット分というように適切な時間を空けて、判定が再度行われる。ＵＬ同期が検出されたことを判定が示したならば、プロセスフローは先に進み、Ｎ個のリンクからのＴＰＣコマンドストリームが合成される（ブロック３１０）。
【００２６】
理解されるはずだが、予想されるＴＰＣコマンドパターンに適合されているという点で、同期フィルタ２１２はマッチドフィルタであり、従ってフィルタ２１２はマッチドフィルタに利用可能な多くの形態を取りうる。例えば、フィルタ２１２は、ＴＰＣコマンドストリームを予想されるコマンドストリームに比較する相関器を含んでもよい。そのようなフィルタが、受信機２００の中のプロセッサが実行する、あるいは、合成器／推定器２０６が用いる回路が実行するプログラムステップの中で適宜実装されることがある。
【００２７】
ＵＬ同期検出器の別形態において、同期フィルタ２１２は積算器を含む可能性があり、制御ユニット２１４は下記のように動作する閾値ユニットを含む可能性がある。３ＧＰＰＰ規格によれば、ＤＬ  ＴＰＣコマンドは、ＵＬが無線リンク同期を完了するまでは「１」すなわち「上昇」となることがある。積算器は従ってＭ個のＴＰＣコマンドの総和もしくは総和の目安を形成する可能性があり、制御ユニットは総和もしくは総和の目安を閾値と比較する比較器を実装する可能性がある。総和がＭに近い限り（例えば総和＞Ｍ−Ｌ）、閾値ユニットは、新しいＵＬが同期を完了していないことを示すために、合成器２１０への信号の送信を停止する（又は送信を実行する）。Ｍ−Ｌという量は、適切であればいかなる方法でも（例えば制御ユニットが実行するソフトウェアによって）設定でき、ＭとＬの値は、ＴＰＣ検出誤り率と検出ミスのトレードオフに基づいて選択される。
【００２８】
ＴＰＣ検出誤り率（最悪の場合）が１５％だと仮定すると、Ｍ＝１５（すなわち、１５の「上昇」コマンド）とＬ＝４が良い選択だと現在考えられているが、他の値を選択してもよいことは理解されるであろう。同期フィルタは従って、次式で記述されてもよい。
【００２９】
【数１】
2007536843.tif 000003
【００３０】
上式で、ｘｔは積算器の出力であり、ＴＰＣｔ−ｋはそれぞれの時刻ｔ−ｋにおける新しいリンクのためのＴＰＣコマンドの推定値である。積算器（フィルタ）はゼロに初期化されており、時刻ｔ＝ｔ０に起動される。ここでｔ０は、ＡＳＵ  ＡＤＤ情報を受信機が認識する時刻である。さらに、閾値の設定手段として、下記の論理決定基準を使うことができる。
ｘｔ−１≧１１且つｘｔ＜１１なら、ＵＬ同期が完了する
基準がそうであれば、積算器はオフにして新しいＴＰＣコマンドをＴＰＣ合成に含めることができる。
【００３１】
図４Ａおよび４Ｂはシミュレーションの結果を示す図であるが、ここでは、１パス、３ｋｍ／時のレイリーフ−ジング・チャネルが想定されており、新しいリンクがスロット番号７５０で追加され（すなわち、ＡＳＵ  ＡＤＤメッセージがスロット番号７５０で受信され処理される）、そして、ＵＬ同期がスロット番号９００で完了する（すなわち、ＤＬ電力制御が新しいリンク上で開始される）。図４Ａは、ＴＰＣ  ＡＤＤが処理された直後にＴＰＣ合成において新しいリンクのためのＴＰＣコマンドが使われたときのシミュレーションの結果を示す。言い換えると、図４Ａは、先行技術を表している。図４Ｂは、ＵＬが同期していることをＵＬ同期検出器が判断した後に初めて新しいリンクのコマンドがＴＰＣ合成に含まれたときのシミュレーションの結果を示す。図４Ａと図４Ｂの比較から分かるように、開ループ時間（スロット番号７５０から９００まで）の間のＵＬピークは、約２０ｄＢのレベルから約−１０ｄＢのレベルへと約３０ｄＢ低下している。
【００３２】
上述のとおり、また、上記で引用した米国特許出願Ｎｏ．１０／４４５，７５９に記載されているとおり、あるノード、例えばノードＢによってＵＬ電力の制御のためにＵＥに送信されるＤＬ  ＴＰＣパターンは、ネットワークが違えば異なる可能性がある。例えば、「すべて上昇」のＴＰＣパターンを使用すべきだと３ＧＰＰ規格が示す場合でも、ネットワークは、トグリングパターン、すなわち、時折「追加の(extra)」上昇コマンドを含むことがある一連の（「上昇」「低下」）ペアを代わりに送信することがある。トグリングパターンについては、３ＧＰＰ  ＴＳ  ２５．２１４のセクション５．１．２．２．１．２で議論されている。そのようなトグリングパターンはＵＥにとっては問題となり得る。ＵＬ電力の減少をもたらし、最後にはＵＬを「止めて」しまう、すなわち、ＵＬ送信電力が低下しすぎる結果になってしまう。トグリングパターンは、場合によっては呼がドロップするという問題をもたらしているにもかかわらず、一部のネットワークではよく使われていたし、そのようなトグリングパターンの使用は今後も続くかもしれない。「すべて上昇」のパターンと同様、トグリングパターンはＵＥによって、および適切な行動を取ることによって検出できる。その結果、ＵＬ電力の設定が適切なものとなり、呼が継続される。この状況において、開ループであるとして検出されたリンクからのＴＰＣコマンドが、閉ループである他のリンクからのＴＰＣコマンドと合成されないときに、ＵＬ電力の設定が適切なものとなる。
【００３３】
上述のように、＋１が「上昇」コマンドを表し、−１が「低下」コマンドを表し、ｘ（ｋ）がノードＢからの（ＵＬ電力を制御する）ＤＬ  ＴＰＣコマンドを表すとする。ここでｋは時刻の指標（例えばタイムスロット）である。３ＧＰＰネットワークにおいては、二つのコマンドが違うならばｘ（ｋ）ｘ（ｋ−１）＝−１であり、違わなければ＋１であるということに気づかれるであろう。
【００３４】
ＴＰＣコマンドのトグリング・シーケンスは、ｄ（ｋ）＝ｘ（ｋ）ｘ（ｋ−１）である、ｄ（ｋ）で表され得る検出信号を形成し、ローパス・フィルタで検出信号を平滑化することによって検出できる。ローパス・フィルタは下記の式に従ってソフトウェアの中に適宜実装できる。
ｄｆ（ｋ）＝αｄｆ（ｋ−１）＋（１−α）ｄ（ｋ）
上式で、αはフィルタの時定数である。時定数の典型的な値は現在、α＝０．９９であると考えられている。フィルタ処理された検出信号ｄｆ（ｋ）は、アップリンクが同期していればおよそゼロであり、時定数αによって決定された応答でトグリングパターンが開始されればマイナスの値になる。従って、閾値は例えばｄｆ（ｋ）≦−０．４に設定され、ｄｆ（ｋ）が閾値を越えると、ＵＬ同期の喪失とトグリングパターンの使用が検出される。ｄｆ（ｋ）＞−０．４であればＵＬは同期していると考えられる。
【００３５】
理解されるはずだが、−０．４以外の同期／非同期遷移の閾値を使うこともできるし、信号の値は説明どおりに＋１から−１までの範囲内にある必要もない。さらに認識されるはずだが、この処理形態は一種のマッチド・フィルタリングであると考えることができる。従って、検出信号ｄ（ｋ）を形成し、それをローパス・フィルタでフィルタ処理することは、ＵＬ同期フィルタ２１２によって実行することができる。そして、フィルタ処理された検出信号ｄｆ（ｋ）を閾値と比較し、比較の結果の指標を生成することは、制御ユニット２１４によって実行することが可能である。これらの機能は論理回路で実装されてもよいし、適切なプロセッサによって実行されるソフトウェアで実装されてもよい。
【００３６】
そのようなトグリング検出器を作り、フィールドテストを行った。その測定結果を図５Ａおよび５Ｂに表している。図５Ａの痕跡は、ＤＬ上で送信された（フィルタ処理された）ＴＰＣコマンドｘ（ｋ）を表し、図５Ｂの線はフィルタ処理された検出信号ｄｆ（ｋ）を表す。図５Ｂから、アップリンク同期は時刻インデックスｋ＝９０．０００で失われることが分かる。ＵＬ同期の喪失を検出することによって、ＵＥはノードＢがそのＵＬを「止め」得るＴＰＣコマンドのトグリングパターンを送信していることを検出し、ＵＥはＴＰＣ合成においてこれらのＴＰＣコマンドの使用を止めるかまたは減らすことができる。
【００３７】
出願人らのＴＰＣコマンドシーケンス検出器がマッチドフィルタである限りにおいて、どのマッチドフィルタを使用するか、すなわち、ＴＰＣコマンドのどのシーケンスが想定されるかをＵＥが知ることが必要である。上述のとおり、代表的なシーケンスは「すべて上昇」およびトグリングである。ＵＥは、どのシーケンスを想定すべきかをいくつかの方法で知ることができ、例えば、それが必要というわけではないが、ＵＥの登録や認証の間に送信されることがあるネットワーク記述メッセージの中に適切な情報要素を含むことによる方法がある。ＵＥは複数の異なるマッチドフィルタを同時に、あるいは連続的に使うことによってＴＰＣコマンドを処理し、応答のあるフィルタに従って動作することも可能である。
【００３８】
ＵＬ電力ピークは、上述のとおり新しいＤＬ電力の設定が高すぎるときに主として観察されることから、そのような場合に限ってＵＬ同期検出器を作動させることが有利である可能性がある。図２に戻るが、受信機２００は、この場合に当るのか否か、すなわち、ＵＬ同期検出器が必要なのか否かを確認するのに用いることができるＳＩＲ推定器４０２および制御ユニット４０４を含んでもよい。ＳＩＲ推定器４０２は、合成器／推定器２０６から、合成されたＤＬ  ＳＩＲの推定に適した情報を受け取る。推定器４０２はＳＩＲ推定値を制御ユニット４０４に提供し、制御ユニット４０４は下記のようにＳＩＲ情報に基づいてＵＬ同期検出器ＯＮ／ＯＦＦ信号を生成し、そのＯＮ／ＯＦＦ制御信号をＵＬ同期フィルタ２１２に提供する。
【００３９】
ＳＩＲｔは、ＡＳＵ  ＡＤＤメッセージが受信される前の時刻ｔにおいてｎ−１個のリンクを合成した後に受信した合成ＳＩＲを表すとする。また、ＡＳＵ  ＡＤＤメッセージは、時刻ｔ＋1に受信されるとし、受信したＮ個のリンクの合成ＳＩＲ（すなわち、新しいリンクを含むＳＩＲ）をＳＩＲｔ＋1で表すとする。
【００４０】
もしＳＩＲｔ＋1＞＞ＳＩＲｔであるならば、新しいＤＬからの新しいＳＩＲが非常に大きく、ＵＬ同期フィルタが起動されることになるであろう。すなわち、新しいリンクからのＴＰＣコマンドは、ＵＬ同期が検出されるまでは含まれないということである。従って、制御ユニット４０４はＵＬ同期フィルタ２１２にＯＮ信号を提供する。他方、もしＳＩＲｔ＋1＜ＳＩＲｔであるならば、新しいＤＬからの新しいＳＩＲは許容レベルにある可能性が高く、新しいリンクからのＴＰＣコマンドが含まれてよい。従って、制御ユニット４０４はフィルタ２１２にＯＦＦ信号を提供する。ＳＩＲ推定値は雑音が多い可能性があるため、理解されるはずだが、制御ユニット４０４がフィルタ処理をしたＳＩＲ推定値に基づいてＯＮ／ＯＦＦの決定を行う必要があるかもしれない。
【００４１】
ＳＩＲを推定する方法は当技術分野ではよく知られている。信号電力Ｓと干渉電力Ｉは通常、パイロットシンボル、すなわち、１つ以上のチャネル上で送信される既知のシンボルを用いて推定される。ＳＩＲ推定については、例えば、Ｊ.Ｎｉｌｓｓｏｎ他による米国特許出願Ｎｏ．１０／７００，８５５「代替スクランブリングコードを用いたＣＤＭＡシステムにおける干渉推定（Ｉｎｔｅｒｆｅｒｅｎｃｅ  Ｅｓｔｉｍａｔｉｏｎ  ｉｎ  ＣＤＭＡ  Ｓｙｓｔｅｍｓ  Ｕｓｉｎｇ  Ａｌｔｅｒｎａｔｉｖｅ  Ｓｃｒａｍｂｌｉｎｇ  Ｃｏｄｅｓ）」で説明されており、それを参照により本願に援用する。
【００４２】
これもフィールドテストにおいて観察されたことだが、ＳＨＯにおいてリンクが同期した後でリンクが同期を失う（ＯｏＳ）という非ゼロリスクが存在する。これが発生した場合、リンクは通常、当初の同期の場合と同様の手順で再同期され、そのためＵＬ送信電力のピークとディップが大きくなるというリスクがある。従って、ＳＨＯにおいてＵＬがＯｏＳか否かを受信機が検出し、そのようなＵＬのＯｏＳが検出された場合には上述のＵＬ同期検出器を採用することは、有益である可能性がある。そのようなＯｏＳの検出については、２００４年５月６日に出願されたＪ.Ｎｉｌｓｓｏｎ他による米国特許出願Ｎｏ．１０／８４０，５１８「アップリンク同期喪失の高速ダウンリンク情報のための方法と装置（Ｍｅｔｈｏｄｓ  ａｎｄ  Ａｐｐａｒａｔｕｓ  ｆｏｒ  Ｆａｓｔ  ＤｏｗｎｌｉｎｋＩｎｆｏｒｍａｔｉｏｎ  ｏｆ  Ｕｐｌｉｎｋ  Ｏｕｔ−ｏｆ−Ｓｙｎｃｈｒｏｎｉｚａｔｉｏｎ）」の中で説明されている。
【００４３】
ＵＬのＯｏＳを検出するもう１つの方法は、ＳＨＯにおける第１のリンクが同期した後でデータの受信中に、またはデータ受信と並行して、ＯｏＳフィルタを実行することである。ＯｏＳフィルタのパラメータは、この状況下での検出は初期の同期検出より難しいため、長い方のフィルタ長等に合わせて調整される。特定のＤＬに対応するフィルタの出力がＯｏＳの閾値を越えたとき、そのＤＬからのＴＰＣコマンドは、ＴＰＣ合成から除外されるか、ＴＰＣ合成において制限される。理解されるはずだが、図２はＯｏＳフィルタ２１６を１つ表示しているが、そのようなフィルタは複数提供されてもよい。
【００４４】
理解されるはずだが、上述の手順は、例えば、送信器と受信機の間の通信チャネルの時間と共に変化する特性に応じるために、必要に応じて何度も実行される。理解を助けるため、出願人らの発明の多くの態様が、例えばプログラム可能なコンピュータシステムの要素によって実行できる動作のシーケンスという観点で記述されている。認識されるはずだが、各種の動作は、専門化した回路（例えば相互接続されて専門的な機能を実行する離散論理ゲートや特定用途向け集積回路）によって、１つ以上のプロセッサが実行するプログラム命令によって、あるいは両方の組み合わせによって実行され得る。
【００４５】
また、出願人らの発明は、加えて、命令実行システム、器具または装置、例えばコンピュータ・ベースのシステム、プロセッサを含むシステム、または媒体から命令をフェッチしてそれらの命令を実行できるその他のシステムで使用する、あるいはそれらに関連する、適切な一組の命令をその中に保存しているいかなる形態のコンピュータ可読記憶媒体の中にも、完全に実施されると考えることができる。ここで用いられているように、「コンピュータ可読記憶媒体」は、命令実行システム、器具または装置で使用する、あるいはそれらに関連するプログラムを含み、保存し、伝達し、伝搬し、あるいは転送することができるいかなる手段であってもよい。コンピュータ可読記憶媒体は、例えば、電子的、磁気的、光学的、電磁的、赤外線、または半導体による、システム、器具、装置、または伝搬媒体であってもよいが、それに限定されない。コンピュータ可読記憶媒体のより具体的な例（非網羅的なリスト）には、１本以上の配線を有する電気接続機器、携帯可能なコンピュータディスケット、ランダム・アクセス・メモリ（ＲＡＭ）、リード・オンリー・メモリ（ＲＯＭ）、消去可能プログラマブルＲＯＭ（ＥＰＲＯＭ又はフラッシュメモリ）、光ファイバが含まれる。
【００４６】
このように、本発明は多くの異なる形態で実施されることがあり、そのすべてを上記で説明してはいないが、そのような形態はすべて本発明の範囲内にあると考えられる。本発明の各種の態様の各々について、いかなるそのような形態であっても、説明された動作を実行「するように構成された論理」である、または説明された動作を実行「する論理」であると言及されることがある。
【００４７】
特に重要なのは、「含む(comprise)」や「含んでいる(comprising)」という用語は、本出願の中で使われた場合には、記載された特徴、整数、ステップ、または構成要素の存在を明記しているのであって、１つ以上の他の特徴、整数、ステップ、構成要素、あるいはそれらの集まりの存在または追加を排除するものではないということである。
【００４８】
上記の具体的な実施形態は単に例示しているのであって、いかなる意味でも限定的だと考えられてはならない。本発明の範囲は下記の請求項によって決定されるのであり、請求項の範囲内に入るすべての変化形や均等物はその中に包含されることが意図されている。
【図面の簡単な説明】
【００４９】
【図１】通信システムを表す図である。
【図２】出願人らの発明による受信機のブロック図である。
【図３】出願人らの発明による方法のフローチャートである。
【図４Ａ】アップリンク同期を検出しなかった場合と検出した場合それぞれの場合の、スロットの範囲におけるＵＥ送信電力のシミュレーションを示す図である。
【図４Ｂ】アップリンク同期を検出しなかった場合と検出した場合それぞれの場合の、スロットの範囲におけるＵＥ送信電力のシミュレーションを示す図である。
【図５Ａ】ＴＰＣコマンドシーケンス検出器によるフィールドテストでの測定値を表す図である。
【図５Ｂ】ＴＰＣコマンドシーケンス検出器によるフィールドテストでの測定値を表す図である。
【図１】
2007536843.tif 000004
【図２】
2007536843.tif 000005
【図３】
2007536843.tif 000006
【図４Ａ】
2007536843.tif 000007
【図４Ｂ】
2007536843.tif 000008
【図５Ａ】
2007536843.tif 000009
【図５Ｂ】
2007536843.tif 000010
【国際調査報告】
2007536843.tif 000011
2007536843.tif 000012
2007536843.tif 000013